【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
被検眼と対向する位置に配置される対物レンズを介して、前記被検眼を固視させるための固視標を前記被検眼に投影する投影手段であって、前記固視標に係る固視光を発光する発光手段と、前記被検眼に対して前記固視光を走査する走査手段と、を含み構成される投影手段と、
前記対物レンズの倍率が変更された場合に、前記走査手段による前記被検眼に対する前記固視光の走査間隔であって、当該倍率の変更に基づく前記固視光の走査間隔の変化が小さくなるように、前記固視光の走査間隔に係る前記投影手段の調整を行う調整手段と、
を有することを特徴とする眼科装置。
【請求項２】
被検眼と対向する位置に配置される対物レンズを介して、前記被検眼を固視させるための固視標を前記被検眼に投影する投影手段であって、前記固視標に係る固視光を発光する発光手段と、前記被検眼に対して前記固視光を走査する走査手段と、を含み構成される投影手段と、
前記被検眼を撮影するための光学系における撮影に関する画角の変更に対応する倍率の変更に応じて、前記走査手段による前記被検眼に対する前記固視光の走査間隔であって、当該倍率の変更に基づく前記固視光の走査間隔の変化が小さくなるように、前記固視光の走査間隔に係る前記投影手段の調整を行う調整手段と、
を有することを特徴とする眼科装置。
【請求項３】
前記調整手段は、前記倍率が変更された場合に、当該倍率の変更に基づく前記固視標の大きさの変化が小さくなるように、前記固視標の大きさに係る前記投影手段の調整を更に行うことを特徴とする請求項１または２に記載の眼科装置。
【請求項４】
前記調整手段は、前記倍率が変更される前の前記固視標の大きさと前記倍率が変更された後の前記固視標の大きさとが同じになるように、前記固視標の大きさに係る前記投影手段の調整を行うことを特徴とする請求項３に記載の眼科装置。
【請求項５】
前記調整手段は、前記固視光の発光タイミングを変更することにより、前記固視標の大きさに係る前記投影手段の調整を行うことを特徴とする請求項３または４に記載の眼科装置。
【請求項６】
前記調整手段は、前記倍率が高倍率から低倍率に変更された場合に、前記固視光の発光タイミングとして、前記走査の速度を一定としたときに前記固視光の発光時間を短くする変更を行うことにより、前記固視標の大きさに係る前記投影手段の調整を行うことを特徴とする請求項５に記載の眼科装置。
【請求項７】
前記調整手段は、前記倍率が変更された場合に、当該倍率の変更に基づく前記固視標の明るさの変化が小さくなるように、前記固視標の明るさに係る前記投影手段の調整を更に行うことを特徴とする請求項１乃至６のいずれか１項に記載の眼科装置。
【請求項８】
前記調整手段は、前記倍率が変更される前の前記固視標の明るさと前記倍率が変更された後の前記固視標の明るさとが同じになるように、前記固視標の明るさに係る前記投影手段の調整を行うことを特徴とする請求項７に記載の眼科装置。
【請求項９】
前記調整手段は、前記固視光の発光強度を変更することにより、前記固視標の明るさに係る前記投影手段の調整を行うことを特徴とする請求項７または８に記載の眼科装置。
【請求項１０】
前記調整手段は、前記倍率が高倍率から低倍率に変更された場合に、前記固視光の発光強度を大きくする変更を行うことにより、前記固視標の明るさに係る前記投影手段の調整を行うことを特徴とする請求項９に記載の眼科装置。
【請求項１１】
前記調整手段は、前記倍率の変更前後で、前記固視光の走査間隔が略同一となるように制御することにより、前記固視光の走査間隔に係る前記投影手段の調整を行うことを特徴とする請求項１乃至１０のいずれか１項に記載の眼科装置。
【請求項１２】
前記調整手段は、前記倍率が高倍率から低倍率に変更された場合には、前記固視光の走査間隔が狭くなるように、前記固視光の走査間隔に係る前記投影手段の調整を行うことを特徴とする請求項１乃至１１のいずれか１項に記載の眼科装置。
【請求項１３】
前記走査間隔は、前記走査手段による副走査方向の走査間隔であることを特徴とする請求項１乃至１２のいずれか１項に記載の眼科装置。
【請求項１４】
前記発光手段とは異なるＳＬＯ光源から発せられた照明光を前記走査手段によって前記被検眼において走査するＳＬＯ光学系と、
前記照明光を前記走査手段によって前記被検眼において走査するタイミングに応じて、前記発光手段の発光制御を行う固視標制御手段と、
を更に有し、
前記投影手段および前記ＳＬＯ光学系は、前記走査手段を含む一部の光学部材が共用されていることを特徴とする請求項１乃至１３のいずれか１項に記載の眼科装置。
【請求項１５】
前記眼科装置は、
前記被検眼と対向する位置に配置される前記対物レンズとして倍率の異なる複数の対物レンズを交換可能に構成され、
前記被検眼と対向する位置に配置された前記対物レンズの倍率を取得する取得手段を更に有することを特徴とする請求項１乃至１４のいずれか１項に記載の眼科装置。
【請求項１６】
被検眼と対向する位置に配置される対物レンズを介して、前記被検眼を固視させるための固視標を前記被検眼に投影する投影手段であって、前記固視標に係る固視光を発光する発光手段と、前記被検眼に対して前記固視光を走査する走査手段と、を含み構成される投影手段を有する眼科装置の制御方法であって、
前記対物レンズの倍率が変更された場合に、前記走査手段による前記被検眼に対する前記固視光の走査間隔であって、当該倍率の変更に基づく前記固視光の走査間隔の変化が小さくなるように、前記固視光の走査間隔に係る前記投影手段の調整を行う調整ステップ
を有することを特徴とする眼科装置の制御方法。
【請求項１７】
被検眼と対向する位置に配置される対物レンズを介して、前記被検眼を固視させるための固視標を前記被検眼に投影する投影手段であって、前記固視標に係る固視光を発光する発光手段と、前記被検眼に対して前記固視光を走査する走査手段と、を含み構成される投影手段を有する眼科装置の制御方法であって、
前記被検眼を撮影するための光学系における撮影に関する画角の変更に対応する倍率の変更に応じて、前記走査手段による前記被検眼に対する前記固視光の走査間隔であって、当該倍率の変更に基づく前記固視光の走査間隔の変化が小さくなるように、前記固視光の走査間隔に係る前記投影手段の調整を行う調整ステップ
を有することを特徴とする眼科装置の制御方法。
【請求項１８】
請求項１６または１７に記載の眼科装置の制御方法をコンピュータに実行させるプログラム。
【手続補正２】
【補正対象書類名】明細書
【補正対象項目名】０００７
【補正方法】変更
【補正の内容】
【０００７】
本発明の眼科装置の一つは、被検眼と対向する位置に配置される対物レンズを介して、前記被検眼を固視させるための固視標を前記被検眼に投影する投影手段であって、前記固視標に係る固視光を発光する発光手段と、前記被検眼に対して前記固視光を走査する走査手段と、を含み構成される投影手段と、前記対物レンズの倍率が変更された場合に、前記走査手段による前記被検眼に対する前記固視光の走査間隔であって、当該倍率の変更に基づく前記固視光の走査間隔の変化が小さくなるように、前記固視光の走査間隔に係る前記投影手段の調整を行う調整手段と、を有する。
本発明の眼科装置の一つは、被検眼と対向する位置に配置される対物レンズを介して、前記被検眼を固視させるための固視標を前記被検眼に投影する投影手段であって、前記固視標に係る固視光を発光する発光手段と、前記被検眼に対して前記固視光を走査する走査手段と、を含み構成される投影手段と、前記被検眼を撮影するための光学系における撮影に関する画角の変更に対応する倍率の変更に応じて、前記走査手段による前記被検眼に対する前記固視光の走査間隔であって、当該倍率の変更に基づく前記固視光の走査間隔の変化が小さくなるように、前記固視光の走査間隔に係る前記投影手段の調整を行う調整手段と、を有する。
また、本発明は、上述した眼科装置の制御方法、及び、当該制御方法をコンピュータに実行させるプログラムを含む。